【手続補正書】
【提出日】平成28年11月17日(2016.11.17)
【手続補正１】
【補正対象書類名】特許請求の範囲
【補正対象項目名】全文
【補正方法】変更
【補正の内容】
【特許請求の範囲】
【請求項１】
データを送信する方法であって、
複数のトランスポートパケットを含むデータストリームに、ビデオデータとオーディオデータのうち少なくとも一方をカプセル化するステップであって、各トランスポートパケットはヘッダ部とペイロード部とを含むステップと、
フルサイズパケットヘッダフォーマットと縮小サイズパケットヘッダフォーマットのうち一方を用いて、あるトランスポートパケットを送信できるか判断するステップと、
判断されたフォーマットに応じて前記データストリームのトランスポートパケットを構成するステップであって、第１のパケットの第１のヘッダが第２のパケットの第２のヘッダに対する参照として提供されるステップと、
構成した前記トランスポートパケットを送信するステップとを含む、方法。
【請求項２】
前記構成するステップは、
前記第１のヘッダを有する前記第１のパケットを構成するステップであって、前記第１のヘッダは前記フルサイズパケットヘッダフォーマットに対応し、前記第２のヘッダは前記縮小サイズパケットヘッダフォーマットに対応するステップと、
前記第２のヘッダを生成するステップであって、前記第２のヘッダ中の一フィールドが前記第１のヘッダ中の対応するフィールドに対して表し方が異なるステップとを含む、
請求項１に記載の方法。
【請求項３】
データを受信する方法であって、
複数のトランスポートパケットを含み、ビデオデータとオーディオデータのうち少なくとも一方を含むデータストリームを受け取るステップであって、各トランスポートパケットはヘッダ部とペイロード部とを含むステップと、
トランスポートパケットがフルサイズパケットヘッダフォーマットと縮小サイズパケットヘッダフォーマットのうち一方を用いているか判断するステップと、
判断された前記フォーマットに応じて前記データストリームのトランスポートパケットを復号するステップであって、第１のパケットの第１のヘッダは第２のパケットの第２のヘッダに対する参照として用いられるステップとを含む、方法。
【請求項４】
前記受信するステップは、
前記第１のヘッダを含む前記第１のパケットを受信するステップと、
前記第２のヘッダを含む前記第２のパケットを受信するステップであって、前記第１のヘッダは前記フルサイズパケットヘッダフォーマットに対応し、前記第２のヘッダは前記縮小サイズパケットヘッダフォーマットに対応し、前記第２のヘッダはフィールドを含む、ステップとを含み、
前記復号するステップは、
前記第２のヘッダ中のフィールドを、前記第１のヘッダ中の対応するフィールドに応じて復号するステップを含む、
請求項３に記載の方法。
【請求項５】
データを送信する装置であって、
複数のトランスポートパケットを含むデータストリームに、ビデオデータとオーディオデータのうち少なくとも一方をカプセル化するように構成され、各トランスポートパケットはヘッダ部とペイロード部とを含む送信器と、
フルサイズパケットヘッダフォーマットと縮小サイズパケットヘッダフォーマットのうち一方を用いてトランスポートパケットを送信できるか決定し、前記決定されたフォーマットに応じて前記データストリームのトランスポートパケットを構成するように構成されたヘッダ圧縮器とを有し、前記送信器は構成された前記トランスポートパケットを送信するように構成され、第１のパケットの第１のヘッダが第２のパケットの第２のヘッダに対する参照として提供される、装置。
【請求項６】
前記送信器は、前記第１のヘッダを有する前記第１のパケットを送信するように構成され、前記第１のヘッダは前記フルサイズパケットヘッダフォーマットに対応し、前記第２のヘッダは前記縮小サイズパケットヘッダフォーマットに対応し、
前記ヘッダ圧縮器は前記第２のヘッダを生成するように構成され、前記第２のヘッダ中のフィールドは前記第１のヘッダ中の対応するフィールドに対する差として表され、前記送信器は前記第２のヘッダを含む前記第２のパケットを送信する、
請求項５に記載の装置。
【請求項７】
前記第２のヘッダ中のフィールドは複数のビットで表すことができ、前記ヘッダ圧縮器は、前記第２のヘッダ中のフィールドを前記複数のビットの下位ビットで表すことにより前記第２のヘッダを生成する、
請求項２または５に記載の方法または装置。
【請求項８】
前記第１のヘッダは、前記フィールドに表されるデータが前記フィールドに含まれるビット数の最大表現能力を超えたときに構成される、
請求項２または５に記載の方法または装置。
【請求項９】
データを受信する装置であって、
複数のトランスポートパケットを含み、ビデオデータとオーディオデータのうち少なくとも一方を含むデータストリームを受け取るように構成され、各トランスポートパケットはヘッダ部とペイロード部とを含む受信器と、
トランスポートパケットがフルサイズパケットヘッダフォーマットと縮小サイズパケットヘッダフォーマットのうち一方を用いているか決定し、決定されたフォーマットに応じて前記データストリームのトランスポートパケットを復号するように構成され、第１のパケットの第１のヘッダが第２のパケットの第２のヘッダに対する参照として用いられる、ヘッダ復元器とを有する、装置。
【請求項１０】
前記受信器は、前記第１のヘッダを含む前記第１のパケットを受信し、前記第２のヘッダを含む前記第２のパケットを受信し、前記第１のヘッダは前記フルサイズパケットヘッダフォーマットに対応し、前記第２のヘッダは前記縮小サイズパケットヘッダフォーマットに対応し、前記第２のヘッダはフィールドを含み、前記ヘッダ復元器は、前記第２のヘッダ中のフィールドを前記第１のヘッダ中の対応するフィールドに応じて復号するように構成される、
請求項９に記載の装置。
【請求項１１】
前記第１のヘッダは前記第１のヘッダが前記参照として用いられることを示す第２のフィールドを含む、
請求項２、４、６または１０いずれか一項に記載の方法または装置。
【請求項１２】
前記第１のヘッダ中の対応するフィールドは複数のビットにより表すことができ、前記第２のヘッダ中のフィールドは、前記複数のビットの上位ビットと受信したフィールドとに応じて復号され、前記第２のヘッダ中の復号されたフィールドは、前記第１のヘッダ中の対応するフィールドを表すのに使われるのと同じビット数を有する、
請求項４または１０に記載の方法または装置。
【請求項１３】
前記第２のヘッダは前記第１のパケットへのリンクを含む、
請求項２、４、６または１０いずれか一項に記載の方法または装置。
【請求項１４】
前記第１のヘッダ中のシーケンス番号は複数のビットにより表すことができ、前記第２のヘッダは前記複数のビットの、前記第１のパケットへのリンクを提供する部分を含む、
請求項１３に記載の方法または装置。
【請求項１５】
前記第２のパケット中の第２のヘッダは前記第１のパケット中の第１のヘッダより少ないフィールドを含む、
請求項２、４、６または１０いずれか一項に記載の方法または装置。
【請求項１６】
コンピュータに、請求項１−４、７、８、及び１１−１５いずれか一項に記載の方法のステップを実行させるコンピュータプログラム。
【手続補正２】
【補正対象書類名】明細書
【補正対象項目名】００６７
【補正方法】変更
【補正の内容】
【００６７】
当業者には言うまでもないが、実施形態は、例えば記憶または送信され得る情報を担うようフォーマットされた種々の信号を生成することもできる。情報には、例えば、方法を実行する命令や、説明した実施形態により生成されるデータが含まれ得る。例えば、信号は説明した実施形態のビットストリームを担うようにフォーマットされてもよい。かかる信号は、（例えば、無線周波数のスペクトルを用いた）電磁波やベースバンド信号などとしてフォーマットし得る。フォーマット化には、例えば、データストリームの符号化、符号化したデータストリームによるキャリアの変調が含まれる。信号が担う情報は例えばアナログ情報やデジタル情報であってもよい。知られているように、信号は様々な異なる有線リンクまたは無線リンクで送信できる。信号はプロセッサ読み取り可能媒体に記憶してもよい。
次の付記を記す。
（付記１）  データを送信する方法であって、
複数のトランスポートパケットを含むデータストリームに、ビデオデータとオーディオデータのうち少なくとも一方をカプセル化するステップであって、各トランスポートパケットはヘッダ部とペイロード部とを含むステップと、
フルサイズパケットヘッダフォーマットと縮小サイズパケットヘッダフォーマットのうち一方を用いて、あるトランスポートパケットを送信できるか判断するステップと、
前記判断するステップに応じて前記データストリームのトランスポートパケットを構成するステップと、
構成した前記トランスポートパケットを送信するステップとを含む、方法。
（付記２）  前記構成するステップは、
第１のヘッダを有する第１のパケットを構成するステップであって、前記第１のヘッダは第２のパケットの第２のヘッダに対する参照として提供され、前記第１のヘッダは前記フルサイズパケットヘッダフォーマットに対応し、前記第２のヘッダは前記縮小サイズパケットヘッダフォーマットに対応するステップと、
前記第２のヘッダを生成するステップであって、前記第２のヘッダ中の一フィールドが前記第１のヘッダ中の対応するフィールドに対して表し方が異なるステップとを含む、
付記１に記載の方法。
（付記３）  データを受信する方法であって、
複数のトランスポートパケットを含み、ビデオデータとオーディオデータのうち少なくとも一方を含むデータストリームを受け取るステップであって、各トランスポートパケットはヘッダ部とペイロード部とを含むステップと、
トランスポートパケットがフルサイズパケットヘッダフォーマットと縮小サイズパケットヘッダフォーマットのうち一方を用いているか判断するステップと、
判断された前記フォーマットに応じて前記データストリームのトランスポートパケットを復号するステップとを含む、方法。
（付記４）  前記受信するステップは、
第１のヘッダを含む第１のパケットを受信するステップと、
第２のヘッダを含む第２のパケットを受信するステップであって、前記第１のヘッダは前記フルサイズパケットヘッダフォーマットに対応し、前記第２のヘッダは前記縮小サイズパケットヘッダフォーマットに対応し、前記第２のヘッダはフィールドを含む、ステップとを含み、
前記復号するステップは、
前記第１のヘッダを前記第２のヘッダの参照として用いることを決定するステップと、
前記第２のヘッダ中のフィールドを、前記第１のヘッダ中の対応するフィールドに応じて復号するステップとを含む、
付記３に記載の方法。
（付記５）  データを送信する装置であって、
複数のトランスポートパケットを含むデータストリームに、ビデオデータとオーディオデータのうち少なくとも一方をカプセル化するように構成され、各トランスポートパケットはヘッダ部とペイロード部とを含む送信器と、
フルサイズパケットヘッダフォーマットと縮小サイズパケットヘッダフォーマットのうち一方を用いてトランスポートパケットを送信できるか決定し、前記決定に応じて前記データストリームのトランスポートパケットを構成するように構成されたヘッダ圧縮器とを有し、前記送信器は構成された前記トランスポートパケットを送信するように構成される、装置。
（付記６）  前記送信器は、第１のヘッダを有する第１のパケットを送信するように構成され、前記第１のヘッダは第２のパケットの第２のヘッダに対する参照として提供され、前記第１のヘッダは前記フルサイズパケットヘッダフォーマットに対応し、前記第２のヘッダは前記縮小サイズパケットヘッダフォーマットに対応し、
前記ヘッダ圧縮器は前記第２のヘッダを生成するように構成され、前記第２のヘッダ中のフィールドは前記第１のヘッダ中の対応するフィールドに対する差として表され、前記送信器は前記第２のヘッダを含む前記第２のパケットを送信する、
付記５に記載の装置。
（付記７）  前記第２のヘッダ中のフィールドは複数のビットで表すことができ、前記ヘッダ圧縮器は、前記第２のヘッダ中のフィールドを前記複数のビットの下位ビットで表すことにより前記第２のヘッダを生成する、
付記２または５に記載の方法または装置。
（付記８）  前記第１のヘッダは、前記フィールドに表されるデータが前記フィールドに含まれるビット数の最大表現能力を超えたときに構成される、
付記２または５に記載の方法または装置。
（付記９）  データを受信する装置であって、
複数のトランスポートパケットを含み、ビデオデータとオーディオデータのうち少なくとも一方を含むデータストリームを受け取るように構成され、各トランスポートパケットはヘッダ部とペイロード部とを含む受信器と、
トランスポートパケットがフルサイズパケットヘッダフォーマットと縮小サイズパケットヘッダフォーマットのうち一方を用いているか決定し、決定されたフォーマットに応じて前記データストリームのトランスポートパケットを復号するように構成されたヘッダ復元器とを有する、装置。
（付記１０）  前記受信器は第１のヘッダを含む第１のパケットを受信し、第２のヘッダを含む第２のパケットを受信し、前記第１のヘッダは前記フルサイズパケットヘッダフォーマットに対応し、前記第２のヘッダは前記縮小サイズパケットヘッダフォーマットに対応し、前記第２のヘッダはフィールドを含み、前記ヘッダ復元器は、前記第１のヘッダを前記第２のヘッダの参照として用いることを決定し、前記第２のヘッダ中のフィールドを前記第１のヘッダ中の対応するフィールドに応じて復号するように構成される、
付記９に記載の装置。
（付記１１）  前記第１のヘッダは前記第１のヘッダが前記参照として用いられることを示す第２のフィールドを含む、
付記２、４、６または１０に記載の方法または装置。
（付記１２）  前記第１のヘッダ中の対応するフィールドは複数のビットにより表すことができ、前記第２のヘッダ中のフィールドは、前記複数のビットの上位ビットと受信したフィールドとに応じて復号され、前記第２のヘッダ中の復号されたフィールドは、前記第１のヘッダ中の対応するフィールドを表すのに使われるのと同じビット数を有する、
付記４または１０に記載の方法または装置。
（付記１３）  前記第２のヘッダは前記第１のパケットへのリンクを含む、
付記２、４、６または１０に記載の方法または装置。
（付記１４）  前記第１のヘッダ中のシーケンス番号は複数のビットにより表すことができ、前記第２のヘッダは前記複数のビットの、前記第１のパケットへのリンクを提供する部分を含む、
付記１３に記載の方法または装置。
（付記１５）  前記第２のパケット中の第２のヘッダは前記第１のパケット中の第１のヘッダより少ないフィールドを含む、
付記２、４、６または１０に記載の方法または装置。
（付記１６）  付記１−４、７、８、及び１１−１５に記載の、データを送信または受信する命令を記憶したコンピュータ読み取り可能記憶媒体。